(57)【要約】【課題】屏障性と通気性を両立でき、形状が比較的簡素で製作が容易であると共に、美観にも優れるブロックを提供する。【解決手段】本発明のブロック（Ｂ）は、略方形状の前壁部（１）と、前壁部に対向した略方形状の後壁部（２）と、前壁部と後壁部を下方側で連結する底部（３）とを備える。前壁部は左右方向の一方側に貫通した前穴（１１）を有し、後壁部は左右方向の他方側に貫通した後穴（２１）を有する。そして、前穴と後穴は、前後方向で重ならない形状および配置となっている。これにより、前穴から後穴に至る通気性を確保しつつ、どちらの穴からもブロックの向こう側を見通すことはできず、屏障性も確保されている。さらに、上方の穴側から下方の穴側へ傾斜した傾斜面（３１）を底部に設けることにより、排水性も確保される。【選択図】図１
2019019669.tif 000002
【特許請求の範囲】
【請求項１】
略方形状の前壁部と、
該前壁部に対向した略方形状の後壁部と、
該前壁部と該後壁部を下方側で連結する底部と、
を備えたブロックであって、
前記前壁部は左右方向の一方側に貫通した前穴を有し、
前記後壁部は左右方向の他方側に貫通した後穴を有し、
該前穴と該後穴は、前後方向で重ならない形状および配置となっていることを特徴とするブロック。
【請求項２】
前記前穴は、上下方向の一方側に配置されており、
前記後穴は、上下方向の他方側に配置されており、
前記底部の上面は、左右方向の一方の上方側から他方の下方側へ傾斜した傾斜面を有する請求項１に記載のブロック。
【請求項３】
前記底部は、前記傾斜面の下方側に、前記前穴または前記後穴の一方と連通する溝を有する請求項２に記載のブロック。
【請求項４】
前記前穴と前記後穴は丸穴である請求項１〜３のいずれかに記載のブロック。
【発明の詳細な説明】
【技術分野】
【０００１】
本発明は、透視や陽射し等を遮る屏障性（遮蔽性、遮光性等を含めて、単に「屏障性」という。）と、風や気流等を遮断しない通気性（または換気性等）とを両立できるブロックに関する。
【背景技術】
【０００２】
建築物の外構（塀）や壁面等を簡易に構築するために、予め所定形状（通常は略方形状）に形成されたブロックが用いられることが多い。ブロックは、通常、対向する中実な壁面からなるため、屏障性には優れるが、通気性に欠ける。一方、その対向する壁面を中空としたブロックは、通気性には優れるが、反対側が透視できるため、屏障性に欠ける。
【０００３】
そこで、屏障性と通気性の両方を両立できるブロックが提案されており、例えば、下記の文献に関連する記載がある。
【先行技術文献】
【特許文献】
【０００４】
【特許文献１】特開２００８−１５０７８３号公報
【特許文献２】実用新案登録第３０１８８０５号公報
【特許文献３】実用新案登録第３０２７０７６号公報
【発明の概要】
【発明が解決しようとする課題】
【０００５】
このような特許文献にある従来のブロックは、いずれも、複雑な形状をしており、製作が困難であり、また、意匠的にも好ましいものではなかった。
【０００６】
本発明はこのような事情に鑑みて為されたものであり、屏障性と通気性を確実に両立できると共に、形状が比較的簡素で製作が容易であり、美観にも優れるブロックを提供することを目的とする。
【課題を解決するための手段】
【０００７】
本発明者はこの課題を解決すべく鋭意研究した結果、対向する正面側の壁面部（前壁部）と背面側の壁面部（後壁部）に、それぞれ貫通穴を互い違いに配置することを思いついた。これを発展させることにより、以降に述べる本発明を完成するに至った。
【０００８】
《ブロック》
（１）本発明のブロックは、略方形状の前壁部と、該前壁部に対向した略方形状の後壁部と、該前壁部と該後壁部を下方側で連結する底部と、を備えたブロックであって、
前記前壁部は左右方向の一方側に貫通した前穴を有し、前記後壁部は左右方向の他方側に貫通した後穴を有し、該前穴と該後穴は、前後方向で重ならない形状および配置となっていることを特徴とする。
【０００９】
（２）本発明のブロックでは、対向して配置された前壁部と後壁部に、それぞれ、左右方向で互い違いとなる前穴と後穴が設けられている。これら前穴と後穴は、前後方向で重ならない形状および配置となっているため、少なくとも前壁部または後壁部に正対して観る限り、前穴と後穴の一方から他方を透視することはできない。こうして本発明のブロックは、先ず、通常の使用において十分な屏障性を有する。
【００１０】
次に、本発明のブロックは、前壁部と後壁部が底部で連結されている。このため、当然ながら前壁部と後壁部の間には間隙が形成され、底部の上空には前壁部と後壁部により挟まれた内部空間（「内挟空間」という。）が形成される。この内挟空間を介して、前壁部の前穴から後壁部の後穴は連通した状態となっている。こうして、前穴、内挟空間および後穴により風等の抜け道となる気流路が形成され、本発明のブロックは、十分な通気性も有する。
【００１１】
従って、本発明のブロックを用いれば、屏障性と通気性を高次元で両立できる。また本発明のブロックは、底部を介して前後に配置された前壁部と後壁部に、それぞれ前穴と後穴を互い違いに配置するという簡易な形状であるため、従来のブロックと同様な型枠等を用いて容易に製造できる。さらに本発明のブロックは、複雑で奇怪な形状等ではないため、単体としての美観も良好であり、さらに、多数のブロックを積み重ねて構築した塀や壁等の全体的な外観も向上させ得る。
【００１２】
《その他》
（１）本明細書では、適宜、前壁部と後壁部を併せて、またはいずれか一方を指して、単に「壁部」という。また、前穴と後穴を併せて、またはいずれか一方を指して、単に「穴」ともいう。
【００１３】
（２）本明細書では、便宜上、前壁部と後壁部が配設されている方向を前後方向、その前後方向に対して直交する方向（各壁部が延在する方向）を左右方向または上下方向という。その内、底部がある方向を下方といい、その反対側を上方という。そして、その上下方向に直交する方向を左右方向という。いずれにしても、本明細書でいう前後、左右、上下は、本発明のブロックを説明するための便宜的な表現に過ぎず、特に断らない限り、ブロックの形態や使用態様等を限定するものではない。
【図面の簡単な説明】
【００１４】
【図１】一実施例であるブロックの全体斜視図である。
【図２】その断面図（Ａ−Ａ断面図）である。
【発明を実施するための形態】
【００１５】
上述した本発明の構成要素に、本明細書中から任意に選択した一つまたは二つ以上の構成要素を付加し得る。いずれの実施形態が最良であるか否かは、対象、要求性能等によって異なる。
【００１６】
《概形》
ブロックは、通常は積み重ねて使用されるため、施行性を考慮して、直方体等の略方体状をしていると好ましい。勿論、角部などは適宜、平面または曲面により面取り等されていてもよい。
【００１７】
本発明に係るブロックは、前壁部と後壁部が骨格となる。これら両壁部は底部で連結されていれば足るが、通常、ブロックの強度や剛性等を確保するために、両壁部の左右側でも連結されていると好ましい。従って、本発明のブロックは、前壁部と後壁部を左右側（特に端部付近）で連結する左側部と右側部を有すると好ましい。
【００１８】
左側部と右側部は、前穴、後穴および内挟空間により通気性を阻害しないように、少なくとも各穴の外側にあると好ましい。例えば、前穴が前壁部の右側寄りに配置されており、後穴が後壁部の左側寄りに配置されている場合、前壁部と後壁部を連結する右側部は前穴のさらに右側に、左側部は後穴のさらに左側に、配置されていると好ましい。
【００１９】
鉄筋等の配筋を行えるように、左側部または右側部は、上下方向に延在して外側に開溝した縦溝を有すると好ましい。勿論、上下方向に貫通した配筋用穴を、ブロックの内側（例えば中央付近）に設けるようにしてもよい。
【００２０】
ブロックの上方側（底部の反対側）は、開口状態でも良いし、その少なくとも一部が閉口していてもよい。もっとも、上方側全体が開口状態にあると、ブロック（特に、挟内空間や底部）の製作が容易となり好ましい。
【００２１】
《前穴と後穴》
前穴と後穴は、内挟空間を介して連通しており、屏障性と通気性が確保される限り、形状や配置は種々考えられる。例えば、穴形状は、丸状、扇状、三角状、方形状、多角形状等やそれら以外の異種形状でもよい。もっとも、前穴と後穴がそれぞれ丸穴であると、製作し易く、美観等にも優れ、応力集中による割れ等も抑止できて好ましい。
【００２２】
《底部》
前壁部と後壁部を下方内側で連結している底部は、左右方向の一方の上方側から他方の下方側へ傾斜した傾斜面を上面側に有し、その傾斜面の一部（特に左下側または右下側にある部分）が、下方側にある前穴または後穴に連なっていると好ましい。これにより、上方側にある前穴または後穴から内挟空間へ侵入した雨水等は、下方側にある前穴または後穴から外部へ容易に排水される。
【００２３】
この傾斜面は、内挟空間に侵入した水分等を前穴または後穴へ誘導するもので足りる。従って、傾斜面の端部と前穴または後穴との位置関係や接続形態等は、種々考えられる。もっとも、底部（特に傾斜面）により前穴または後穴の意匠性が損なわれない形態であるほど好ましい。そこで傾斜面の端部は、前穴または後穴の外形に滑らかに接続された状態となっていると好適である。
【００２４】
さらに底部は、その傾斜面の下方側で、前穴または後穴の一方と連通する溝を有すると好ましい。この溝が樋のように作用して、ブロックの排水性がより向上し得る。また、その溝の断面形状が、下方側にある前穴または後穴の外形に沿ったものであると、本発明のブロックは意匠性にも優れたものとなる。
【００２５】
《用途》
本発明のブロックは、種々の用途に用いることができる。その代表例は、建築物の塀や壁に用いられる場合である。ブロックの材質は種々考えられ、用途に応じて、コンクリート、粘土等の焼成物、樹脂等から適切なものが選択される。建築用ブロックの場合であれば、コンクリートブロックが一般的である。またブロックは、材質そのままの色彩でもよいし、赤茶色、褐色等の着色が施されたものでもよい。
【実施例】
【００２６】
本発明の一実施例であるブロックＢを図１および図２に示した。図２は、図１に示したＡ−Ａ断面図（前後方向に対する横断面図）である。この実施例に基づいて本発明をさらに詳しく説明する。なお、本実施例では、前後方向、左右方向または上下方向を、図１に示すように便宜的に定める。
【００２７】
《概要》
ブロックＢは、略有底方筒状をしており、前壁部１、後壁部２、底部３、左側部４および右側部５からなる。ブロックＢは、コンクリート製であり、外構の少なくとも一部を形成する塀の構築等に利用される。
【００２８】
前壁部１と後壁部２は、略長方形状の板状である。正面側にある前壁部１は、右下方に丸い貫通穴からなる前穴１１を有する。背面側にある後壁部２は、左上方に丸い貫通穴からなる後穴２１を有する。
【００２９】
底部３は、前壁部１１と後壁部２２を、下方内側で連結している。底部３の上面は、左上方から右下方にかけて傾斜した傾斜面３１となっている。傾斜面３１の左端部は、後穴２１の下端部より僅かに下方にある。傾斜面３１の右端部は、前穴１１の左側下方部に接続している。
【００３０】
底部３は、さらに、前穴３２の下方側外形（断面が円弧状または半円状）に沿って形成された略半円筒状の排水溝３２を右端側に有する。傾斜面３１は、その右端側で排水溝３２と滑らかに接続されている。このように底部３は、傾斜面３１および排水溝３２が貫通丸穴である前穴１１と交差しない形状となっており、ブロックＢは意匠性にも優れたものとなっている。
【００３１】
左側部４は、ブロックＢの左端内側で、前壁部１１と後壁部２２を連結している。右側部５は、ブロックＢの右端内側で、前壁部１１と後壁部２２を連結している。左側部４の左外側は、上下方向に延在する半円筒状の溝４１（配筋用縦溝）を有し、右側部５の右外側は、上下方向に延在する半円筒状の溝５１（配筋用縦溝）を有する。
【００３２】
《作用》
多数のブロックＢを上下方向および左右方向に積み上げて配設すると、各溝４１と各溝５１とにより、略円筒が形成される。そこへ鉄筋を配置して生コンクリートを流し込んだ後、コンクリートが固化すると、強固なブロック塀（図略）が構築される。
【００３３】
ブロック塀を構成する各ブロックＢには、前壁部１と後壁部２をそれぞれ貫通する前穴１１と後穴２１が形成されており、前穴１１と後穴２１は挟内空間ｓを介して連通した状態となっている。このため、前穴１１と後穴２１の一方から入った風等は他方へ容易に抜ける。こうしてブロックＢを用いたブロック塀を設けても、通気性が十分に確保される。
【００３４】
また、図１に示すように、前穴１１と後穴２１は、前後方向で重ならない形状および配置となっている。このため、少なくともブロック塀に正対している限り、ブロック塀の内側にある住居等の様子を透視することはできない。つまり、ブロックＢを用いたブロック塀は、ほぼ完全な屏障性も確保している。
【００３５】
さらに、各ブロックＢの上方側にある後穴２１から雨等が内部へ侵入しても、その侵入した雨水等は、底部３の傾斜面３１を伝って流れ、排水溝３２に誘導される。そして排水溝３２から下方側にある前穴１１を通じて外部へ排水される。従って、ブロックＢを用いたブロック塀は、水等が内部に溜まることが殆ど無く、排水性にも優れる。
【００３６】
なお、本実施例では、ブロック塀全体をブロックＢで構築する場合について説明したが、前穴１１と後穴２１を有さない中実の一般的なブロックと組合わせて、ブロックＢを適宜配置してもよい。いずれの場合でも、屏障性、通気性、排水性等が確保された美しいブロック塀の構築が可能である。
【００３７】
ちなみに、ブロックＢは、上方が開口しているため、傾斜面３１および排水溝３２を有する底部３の形成は容易である。また、前穴１１と後穴２１も貫通丸穴であり、容易に形成され得る。従って、ブロックＢは全体的に製造が容易でもある。
【符号の説明】
【００３８】
Ｂ    ブロック
１    前壁部
２    後壁部
１１  前穴
２１  後穴
３    底部
３１  傾斜面
４    左側部
５    右側部
【図１】
2019019669.tif 000003
【図２】
2019019669.tif 000004